(57)【要約】      （修正有）【課題】空気入れを行う取扱者の個人差を解消とせしめ、仕様条件に適合した圧力値の調節設定ができ、精度の高い圧縮空気の充填を、効率よく簡単に空気入れとすることができる空気入れ圧力調整弁を提供する。【解決手段】本体１は各部品を組み合わせとする形状で空気の流路を設けてあり、左右に１次側ホース，２次側ホースに各適合されたホースニップル、又はホースジョイントで接続とせしめ、圧力の調整機構は中央位置に通気路を設け、弁座９の機能動作によって圧縮空気の大気放出とする機構を有し、圧力の調節は圧縮バネ８の荷重差、タワミ量の変動を、ヘッドカバー３を案内に調整ネジ５で可変とし、機能基幹部品のシリンダー２は空気抜き孔を設けながら、空気漏れ対策として弁座９にゴムシート１０を貼り付け、パッキング１１とにより対処とし、ロックナット７は各緩み止めとし、圧力計は圧縮圧力値の確認用とした形態とする。【選択図】図２
0003189118.tif 000002
【実用新案登録請求の範囲】
【請求項１】
配管ホースにより圧送された圧縮空気を、仕様条件に適合した圧力値に認意調節とした設定圧力値で、充填が可能となる機構を大きな特長としてある簡易型圧力調整弁である。その組み合わせ構成手段は、配管ホースを所定の位置で２分割とせしめながら、元圧方向を１次側ホースに、充填方向を２次側ホースに定義づけ、ホースジョイント、又はホースニップルにより中継接続組み合わせとしながら、本体中央部に設けた弁座を、圧縮バネの荷重を圧力設定値とする機能により、圧縮  圧縮バネの荷重を調整ネジにより可変とさせることにより、設定圧力値とせしめた弁座の開閉機構とし、一定容量で充填された圧縮空気は癖圧となる現象から、元圧との背圧の高低差を検知し，設定値以上の元圧側圧縮空気を、空気抜き孔より大気放出とした構造とせしめ、そして圧力計は圧力値の計測用に構成とした請求である。
【考案の詳細な説明】
【技術分野】
【０００１】本考案は、配管ホースにより元圧側から圧送された圧縮空気を一定圧力に調整して、充填側に供給せしめ空気入れとすることを目的としてある。
【背景技術】
【０００２】  一般的事例として、自転車用タイヤ等に空気入れをする場合に、手押し式空気いれ等を使用しての作業であるが、圧力調整機構が設けていないため、充填された空気量の測定は、タイヤ外周等を人手で接触し硬さの度合い決定としてあり、一定圧充填とする場合は取扱店に依頼としている状況下である。
【先行技術文献】
【０００３】
【特許文献１】  特願  平０４−１２５６５２．  特開  平０５−２９６１４７
【考案の概要】
【考案が解決しようとする課題】
【０００４】課題として、空気入れを手押し式空気入れ等を用いながら自転車のタイヤ等に充填した容量についての測定方法として、人手による接触点検のため、タイヤの経年変化による劣化、摩耗による厚さ変化等の悪条件から、取扱者による個人差の発生をなくするため、充填された量を背圧とせしめ、圧送された圧力との高低差を検知し、調整設定圧力値以上の圧縮空気は大気放出とする機能を有し、精度の高い充填を可能とし、前述の欠点を解決しようとするものである。
【課題を解決するための手段】
【０００５】本考案は、圧縮空気入れの対象物が貯蔵型構造であることから、配管ホースにより供給された圧縮空気を元圧側と充填側に２分類とせしめ、圧力を比較検知する機構で解決手段としてあり。解決方法として、配管ホース１８を配管ホース１９に切断２分割とせしめて適合のホースジョイント１３、又はホースニップル１２で接続しての組み合わせ構成から、小型で空気が流れる流路を設けた構造としあり、中央部に圧力検出用弁座９を設けながらゴムシート１０を貼り付けで空気漏れ防止としつつ、圧縮バネ８のタワミ量を調整ネジ５で調節することにより、荷重の変化を圧力値調整機構としてあるため、充填量即ち、背圧が設定圧力値以上に到達された場合は、元圧側より圧送された圧縮空気は、弁座９をヘッドカバー３の方向に押し上げとなる動作から、隙間が発生し空気抜き孔より大気放出とした構造で解決としてあり、そして圧力計１４は投入充填された圧力の実測値を目視で計測するためとする。
【考案の効果】
【０００６】空気入れを行う対象物の仕様条件に適合した調節設定圧力値で、男女を問わず均一で高精度なる空気入れが再度の使用でも同一条件で実施可能となり、そして設定圧力値以上の圧送圧縮空気は大気放出となり、放出音が発生するため判別ができ取扱者の負担軽減となる。
【図面の簡単な説明】
【０００７】
【図１】  本考案の全体構造図である。
【図２】  Ａ−Ａ部詳細である。
【図３】  本考案の参考事例構成図である。
【考案を実施するための形態】
【０００８】以下本考案の実施形態について図面を参照しつつ説明する。
図１は全体図、図２はＡ−Ａ断面図、図３は参考事例構成図とし、図中の本体１は各部品を組み合わせとする形状で空気の流路を設けてあり、左右に１次側ホース１８，２次側ホース１９に各適合されたホースニップル１２、又はホースジョイント１３で接続とせしめての使用形態としながら、圧力の調整機構は中央位置に通気路を設け、弁座９の機能動作によって圧縮空気の大気放出とする機構を有し、圧力の調節は圧縮バネ８の荷重差、タワミ量の変動を、ヘッドカバー３を案内に調整ネジ５で可変とし、機能基幹部品のシリンダー２は空気抜き孔を設けながら、空気漏れ対策として弁座９にゴムシート１０を貼り付け、パッキング１１とにより対処としあり、ロックナット７は各緩み止めとし、圧力計１４は圧縮圧力値の確認用とした形態とする。
【実施例】
【０００９】別紙図３で参考事例の手押式空気入れを実施例としてあるが、その他として同等条件の場合も実施可能とする。
【産業上の利用可能性】
【００１０】圧縮空気を対象とした貯蔵型構造の形状物に空気入れとすることは可能である。
【符号の説明】
【００１１】１    本体
２    シリンダー
３    ヘッドカバー
４    ツマミ
５    調整ネジ
６    ネジ
７    ロックナット
８    圧縮バネ
９    弁座
１０  ゴムシート
１１  パッキン
１２  ホースニップル
１３  ホースジョイント
１４  圧力計
１５  手押式空気入れ
１６  ポンプ本体部
１７  手押ハンドル
１８  １次側配管ホース
１９  ２次側配管ホース
【図１】
0003189118.tif 000003
【図２】
0003189118.tif 000004
【図３】
0003189118.tif 000005
【手続補正書】
【提出日】平成25年11月26日(2013.11.26)
【手続補正１】
【補正対象書類名】実用新案登録請求の範囲
【補正対象項目名】全文
【補正方法】変更
【補正の内容】
【実用新案登録請求の範囲】
【請求項１】
配管ホースにより圧送された圧縮空気を、仕様条件に適合した圧力値に任意調節された設定圧力値で充填が可能となる機構の簡易型圧力調整弁で２分割とせしめ、元圧方向を１次側ホースに、充填側を２次側ホースに定義づけ、配管継ぎ手であるホースジョイント，またはホースニップル等により中継接続組み合わせとしながら、本体中央部に設けた弁座に、調整ネジにより圧縮バネにタワミを与えることにより荷重を可変とする機能で、設定圧力値とした弁座の開閉機構により、一定容量で充填された圧縮空気は背圧となる現象から、元圧と背圧の高低差を検知し設定値以上の元圧側圧縮空気は、弁座を調整ネジ方向に押し上げ開閉せしめ、空気抜き孔から大気放出とした構造を大きな特長としてあり、そして圧力計は圧力値の目視計測用に構成とした空気入れ用圧力調整弁。
【手続補正２】
【補正対象書類名】図面
【補正対象項目名】図２
【補正方法】変更
【補正の内容】
【図２】
0003189118.tif 000006